(57)【要約】【課題】防災同報無線システムから発信される防災音声情報に基づいて、視覚または触覚により検知可能な報知情報を報知する。【解決手段】報知処理装置１０は、防災同報無線システムの送信機から送信された防災音声情報を受信する、受信部１１と、前記防災音声情報の音声を文字に変換する、音声認識部１２と、前記変換された文字の少なくとも一部を表示させる、文字表示部１３と、前記変換された文字が、予め設定されたキーワードに該当する場合には、前記キーワードに応じた報知情報を報知する、報知部１４とを備える。【選択図】図１
2018160082.tif 000002
【特許請求の範囲】
【請求項１】
防災同報無線システムの送信機から送信された防災音声情報を受信する、受信部と、
前記防災音声情報の音声を文字に変換する、音声認識部と、
前記変換された文字の少なくとも一部を表示させる、文字表示部と、
前記変換された文字が、予め設定されたキーワードに該当する場合には、前記キーワードに応じた報知情報を報知する、報知部と
を備える報知処理装置。
【請求項２】
前記報知部が、
外部の光源装置に、前記キーワードに応じた光を発光させる、
請求項１に記載の報知処理装置。
【請求項３】
前記報知部が、
外部の画面に、前記キーワードに応じた表示形式の文字を表示させる、
請求項１または２に記載の報知処理装置。
【請求項４】
前記報知部が、
外部の振動装置に、前記キーワードに応じた振動動作をさせる、
請求項１から３までのいずれかに記載の報知処理装置。
【請求項５】
（１）防災同報無線システムの送信機から送信された防災音声情報を受信する、ステップと、
（２）前記防災音声情報の音声を文字に変換する、ステップと、
（３）前記変換された文字の少なくとも一部を表示させる、ステップと、
（４）前記変換された文字が、予め設定されたキーワードに該当する場合には、前記キーワードに応じた報知情報を報知する、ステップと
を備える報知処理方法。
【請求項６】
前記（４）のステップにおいて、
外部の光源装置に、前記キーワードに応じた光を発光させる、
請求項５に記載の報知処理方法。
【請求項７】
前記（４）のステップにおいて、
外部の画面に、前記キーワードに応じた表示形式の文字を表示させる、
請求項５または６に記載の報知処理方法。
【請求項８】
コンピュータに
（１）防災同報無線システムの送信機から送信された防災音声情報を受信する、ステップと、
（２）前記防災音声情報の音声を文字に変換する、ステップと、
（３）前記変換された文字の少なくとも一部を表示させる、ステップと、
（４）前記変換された文字が、予め設定されたキーワードに該当する場合には、前記キーワードに応じた報知情報を報知する、ステップと
を実行させるプログラム。
【請求項９】
前記（４）のステップにおいて、
外部の光源装置に、前記キーワードに応じた光を発光させる、
請求項８に記載のプログラム。
【請求項１０】
前記（４）のステップにおいて、
外部の画面に、前記キーワードに応じた表示形式の文字を表示させる、
請求項８または９に記載のプログラム。
【発明の詳細な説明】
【技術分野】
【０００１】
本発明は、防災同報無線システムにおける報知処理装置、報知処理方法、及びプログラムに関する。
【背景技術】
【０００２】
防災同報無線システムは、国、都道府県および市町村が、防災関係機関または住民への防災情報を伝達するためのシステムであり、例えば、市町村役場などの親局側に設置された送信機から送信された防災情報を、子局側の屋外拡声器や戸別受信機で受信し、防災情報が流されるものである。特に、他国からのミサイル発射や、地震、津波などの大規模な自然災害が発生するなど緊急を要する防災情報については、全国瞬時警報システム（Ｊ−ＡＬＥＲＴ）が用いられるが、このときの情報伝達の一部にも、防災同報無線システムが用いられる。
【０００３】
最近は、戸別受信機が、ディスプレイを備え、音声の防災情報のみではなく、親局側の送信機から送信された文字データを受信し、防災情報を文字で表示するものもある。これは、聴覚障害者に対して有用である。ここで、文字データを送信する場合、親局側の送信機から文字データを送信する場合、キーボードによる文字入力、あらかじめ登録しておいた定型文、音声認識により、親局側で文字データ化を行なう等の方法が考えられる。
【０００４】
このため、音声データと文字データの両方を送信する場合には、その送信に時間差が生じてしまうという問題がある。緊急を要する放送においては、わずかな時間差とはいえ聴覚障害者に対しての放送が遅れてしまうことは望ましくない。
【０００５】
特許文献１には、環境の情報を知らせる無線システムに関し、マイクセンサーから伝送された伝送された音声を分析し、その結果に応じたメッセージを表示する発明が開示されている。
【先行技術文献】
【特許文献】
【０００６】
【特許文献１】特開平１０−２８９３９１号公報
【発明の概要】
【発明が解決しようとする課題】
【０００７】
防災同報無線システムでは、緊急放送と一般放送の区別が標準規格で定義されているため、この区別を利用して文字情報を表示させることも考えられるが、この２種類だけでは情報として不足している。また、特許文献１の発明では、具体的には、音声が人の声の場合には「外で人の声がします」、犬の吼え声の場合には「外で犬が吼えています」というメッセージが表示されるとしている。
【０００８】
しかし、防災同報無線システムにおいては、このような大まかな情報を表示させるだけでは足りず、音声情報からより詳しい文字情報、例えば、「地震」、「津波」、「地すべり」、「噴火」、「暴風」、「豪雨」、「豪雪」、「洪水」、「高潮」などの自然災害の情報や、「ミサイル発射」、「殺人」、「強盗」、「火災」、などの事故・事件など、さらには、例えば、「警報」、「注意報」、「勧告」などの深刻さ、「緊急」などの緊急性を示す情報など、より具体的な情報を報知させる必要がある。
【０００９】
さらに、文字による具体的な情報の報知とともに、特に、ユーザが、視覚および／または触覚により検知可能な報知情報を報知することにより、気づきを促すことも重要である。
【００１０】
本発明は、このような従来技術の問題を解決するべくなされたものであり、防災同報無線システムから発信される防災音声情報に基づいて、具体的な防災情報に関する文字を表示させるとともに、視覚および／または触覚により検知可能な報知情報を報知することが可能な、報知処理装置、報知処理方法、及びプログラムを提供することを目的としている。
【課題を解決するための手段】
【００１１】
上記目的を達成するため、本発明の一側面における報知処理装置は、
防災同報無線システムの送信機から送信された防災音声情報を受信する、受信部と、
前記防災音声情報の音声を文字に変換する、音声認識部と、
前記変換された文字の少なくとも一部を表示させる、文字表示部と、
前記変換された文字が、予め設定されたキーワードに該当する場合には、前記キーワードに応じた報知情報を報知する、報知部と
を備える。
【００１２】
また、上記目的を達成するため、本発明の一側面における報知処理方法は、
（１）防災同報無線システムの送信機から送信された防災音声情報を受信する、ステップと、
（２）前記防災音声情報の音声を文字に変換する、ステップと、
（３）前記変換された文字の少なくとも一部を表示させる、ステップと、
（４）前記変換された文字が、予め設定されたキーワードに該当する場合には、前記キーワードに応じた報知情報を報知する、ステップと
を備える。
【００１３】
更に、上記目的を達成するため、本発明の一側面におけるプログラムは、
コンピュータに
（１）防災同報無線システムの送信機から送信された防災音声情報を受信する、ステップと、
（２）前記防災音声情報の音声を文字に変換する、ステップと、
（３）前記変換された文字の少なくとも一部を表示させる、ステップと、
（４）前記変換された文字が、予め設定されたキーワードに該当する場合には、前記キーワードに応じた報知情報を報知する、ステップと
を実行させる。
【発明の効果】
【００１４】
本発明によれば、防災同報無線システムから発信される防災音声情報に基づいて、具体的な防災情報に関する文字を表示させるとともに、視覚および／または触覚により検知可能な報知情報を報知することが可能となる。
【図面の簡単な説明】
【００１５】
【図１】図１は、本発明の実施の形態における報知処理装置の概略構成を示すブロック図である。
【図２】図２は、本発明の実施の形態における報知処理装置を内蔵する端末を示すブロック図である。
【図３】図３は、本発明の他の実施の形態における報知処理装置を内蔵する端末を示すブロック図である。
【図４】図４は、本発明の実施の形態における報知処理装置の動作を示すフロー図である。
【図５】図５は、本発明の実施の形態における報知処理装置を実現するコンピュータの一例を示すブロック図である。
【発明を実施するための形態】
【００１６】
（実施の形態）
以下、本発明の実施の形態における、報知処理装置、報知処理方法、及びプログラムについて、図１〜図５を参照しながら説明する。
【００１７】
［装置構成］
最初に、本実施の形態における報知処理装置の概略構成について図１を用いて説明する。図１は、本発明の実施の形態における報知処理装置の概略構成を示すブロック図である。
【００１８】
図１に示すように、本実施の形態における報知処理装置１０は、防災同報無線システムの送信機（図示省略）から送信された防災音声情報に基づいて、視覚または触覚により検知可能な情報を報知する処理を行う装置であり、受信部１１と、音声認識部１２と、文字表示部１３と、報知部１４とを備える。図２に示すように、本実施の形態における報知処理装置１０は、例えば、防災同報無線システムの戸別受信機２０内に搭載される。戸別受信機２０は、例えば、本実施の形態における報知処理装置１０のほか、アンテナ２１、ディスプレイ２２、スピーカ２３、光源装置２４、振動発生装置２５などを備えるものである。そして、戸別受信機２０においては、防災同報無線システムの送信機（図示省略）から送信された防災音声情報に関する信号がアンテナ２１で受信され、本実施の形態における報知処理装置１０に送信される。本実施の形態における報知処理装置１０は、戸別受信機２０だけでなく、移動局にも搭載することが可能である。
【００１９】
受信部１１は、防災同報無線システムの送信機から送信された防災音声情報に関する信号を受信する。受信される防災音声情報の信号としては、親局から送信された防災音声情報に関する信号のほか、中継局を経由して送信された防災音声情報の信号も含まれる。
【００２０】
音声認識部１２は、防災音声情報の音声を文字に変換する。具体的には、音声認識部１２は、既存技術に基づいて音声を認識し、文字に変換する。
【００２１】
文字表示部１３は、外部のディスプレイ２２に音声認識部１２によって変換された文字の少なくとも一部を表示させる。このとき表示する文字は、防災情報の全文（例えば、「○○地区で大規模な洪水が発生しました。」）であってもよいし、防災情報の一部（例えば、「大規模な洪水」）であってもよい。また、後述の報知部１４において設定した、防災情報に関するキーワード（例えば、「大規模洪水発生」）であってもよい。これにより、防災同報無線システムから発信される防災音声情報と同時に、文字による防災情報も利用者に知らせることができる。
【００２２】
報知部１４は、音声認識部１２によって変換された文字が、予め設定されたキーワードに該当するかどうかを判断し、予め設定されたキーワードに該当する場合には前記キーワードに応じた報知情報を報知する。ここで、キーワードとしては、例えば、「地震」、「津波」、「地すべり」、「噴火」、「暴風」、「豪雨」、「豪雪」、「洪水」、「高潮」などの自然災害に関するキーワード、「ミサイル発射」、「殺人」、「強盗」、「火災」、などの事故・事件に関するキーワード、例えば、「警報」、「注意報」、「勧告」などの深刻さを示すキーワード、「緊急」などの緊急性を示すキーワードなどが挙げられる。
【００２３】
報知部１４は、該当するキーワードに応じて、予め設定された報知情報を報知する。例えば、報知部１４は、外部の光源装置２４にキーワードに応じた光を発光させる。例えば、外部の光源装置２４から発せられる光の輝度、点滅の間隔、リズム、光の色などを変更して、様々なキーワードに応じた光を設定することができる。また、報知部１４は、外部の画面（ディスプレイ）２２にキーワードに応じた表示形式の文字を表示させる。例えば、文字のスクロールの有無、スクロール速度、文字の点滅の有無、点滅速度、文字の色、背景の色などを変更して、様々なキーワードに応じた表示形式の文字を設定することができる。このとき表示する文字は、防災情報の全文（例えば、「○○地区で大規模な洪水が発生しました。」）であってもよいし、防災情報の一部（例えば、「大規模な洪水」）であってもよいし、防災情報に関するキーワード（例えば、「大規模洪水発生」）であってもよい。また、報知部１４は、外部の振動装置２５に、キーワードに応じた振動動作をさせる。例えば、振動動作の速度、リズムなどを変更して、様々なキーワードに応じた振動動作を設定することができる。
【００２４】
本実施の形態における報知処理装置１０は、さらに、前記防災音声情報の音声を再生させる音声再生部を備え、外部のスピーカ２３に防災音声情報の音声を再生させてもよい。
【００２５】
図３に示すように、他の実施形態における報知処理装置１０ａの報知部１４が、キーワードに応じた報知情報を報知するに際して、動作させる外部装置は、戸別受信機２０ａ内のものに限らず、例えば、スマートフォンや、スマートウオッチ、リストバンド型のウェアラブル端末などに、外部の携帯端末３０内のものも含まれる。すなわち、図３に示すように、他の実施形態における報知処理装置１０ａが搭載された戸別受信機２０ａにおいては、防災同報無線システムの送信機（図示省略）から送信された防災音声情報に関する信号がアンテナ２０ａで受信され、他の実施形態における報知処理装置１０ａに送信される。他の実施形態における報知処理装置１０ａにおいて、受信部（図１の符号１１）、音声認識部（図１の符号１２）、文字表示部（図１の符号１３）および報知部（図１の符号１４）によって、上記と同様の処理がなされ、キーワードに応じた報知情報の信号が、戸別受信機２０ａ内の送信機２２ａから、報知情報の信号が携帯端末３０の受信機３１に送信される。
【００２６】
そして、他の実施形態における報知処理装置１０ａの報知部１４は、外部の携帯端末３０の光源装置３４にキーワードに応じた光を発光させる。また、他の実施形態における報知処理装置１０ａの報知部１４は、外部の携帯端末３０の画面（ディスプレイ）３２にキーワードに応じた表示形式の文字を表示させる。さらに、他の実施形態における報知処理装置１０ａの報知部１４は、外部の振動装置３５に、キーワードに応じた振動動作をさせる。これにより、他の実施形態における報知処理装置１０ａの報知部１４が、キーワードに応じた報知情報を報知することが可能となる。外部の携帯端末３０の画面（ディスプレイ）３２、光源装置３４および振動装置３５における動作は、前述の例と同様である。
【００２７】
他の実施形態における報知処理装置１０ａが、さらに、前記防災音声情報の音声を再生させる音声再生部を備える場合には、外部のスピーカ２３に防災音声情報の音声を再生させることができる。
【００２８】
［装置動作］
次に、本発明の実施の形態における報知処理装置１０の動作について図４を用いて説明する。図４は、本発明の実施の形態における報知処理装置１０の動作を示すフロー図である。以下の説明においては、適宜図１〜図３を参酌する。また、本実施の形態では、報知処理装置１０を動作させることによって、報知処理方法が実施される。よって、本実施の形態における報知処理方法の説明は、以下の報知処理装置１０の動作説明に代える。
【００２９】
図４に示すように、受信部１１は、防災同報無線システムの送信機から送信された防災音声情報を受信する（ステップＳ１）。
【００３０】
次に、音声認識部１２は、前記防災音声情報の音声を文字に変換する（ステップＳ２）。具体的には、音声認識部１２は、既存技術に基づいて音声を認識し、文字に変換する。
【００３１】
次に、文字表示部１３は、外部のディスプレイ２２に音声認識部１２によって変換された文字の少なくとも一部を表示させる（ステップＳ３）。これにより、防災同報無線システムから発信される防災音声情報と同時に、文字による防災情報も利用者に知らせることができる。
【００３２】
報知部１４は、音声認識部１２によって変換された文字が、予め設定されたキーワードに該当するかどうかを判断し、予め設定されたキーワードに該当する場合には前記キーワードに応じた報知情報を報知する（ステップＳ４）。ここで、キーワードとしては、例えば、「地震」、「津波」、「地すべり」、「噴火」、「暴風」、「豪雨」、「豪雪」、「洪水」、「高潮」などの自然災害に関するキーワード、「ミサイル発射」、「殺人」、「強盗」、「火災」、などの事故・事件に関するキーワード、例えば、「警報」、「注意報」、「勧告」などの深刻さを示すキーワード、「緊急」などの緊急性を示すキーワードなどが挙げられる。
【００３３】
報知部１４は、該当するキーワードに応じて、予め設定された報知情報を報知する。例えば、報知部１４は、外部の光源装置２４にキーワードに応じた光（ＬＥＤなど）を発光させる。例えば、報知部１４は、外部の画面（ディスプレイ）２２にキーワードに応じた表示形式の文字を表示させる。例えば、報知部１４は、外部の振動装置２５に、キーワードに応じた振動動作をさせる。
【００３４】
本実施形態における報知処理装置１０は、さらに、音声再生部により、前記防災音声情報の音声を再生させるステップを備えていてもよく、この場合には、外部のスピーカ２３に防災音声情報の音声を再生させることができる。
【００３５】
［実施の形態の効果］
本実施の形態では、防災同報無線システムから発信される防災音声情報に基づいて、具体的な防災情報に関する文字を表示させるとともに、視覚および／または触覚により検知可能な報知情報を報知することができる。
【００３６】
［プログラム］
本発明の実施の形態におけるプログラムは、コンピュータに、図４に示すステップＳ１〜Ｓ４を実行させるプログラムであれば良い。このプログラムをコンピュータにインストールし、実行することによって、本実施の形態における報知処理装置と報知処理方法とを実現することができる。この場合、コンピュータのＣＰＵ（Central Processing Unit）は、受信部１１、音声認識部１２、文字表示部１３、及び報知部１４として機能し、処理を行なう。
【００３７】
また、本実施の形態におけるプログラムは、複数のコンピュータによって構築されたコンピュータシステムによって実行されても良い。この場合は、例えば、各コンピュータが、それぞれ、受信部１１、音声認識部１２、文字表示部１３、及び報知部１４のいずれかとして機能しても良い。
【００３８】
ここで、実施の形態におけるプログラムを実行することによって、報知処理装置１０を実現するコンピュータについて図５を用いて説明する。図５は、本発明の実施の形態における報知処理装置１０を実現するコンピュータの一例を示すブロック図である。
【００３９】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００４０】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００４１】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００４２】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００４３】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００４４】
なお、本実施の形態における報知処理装置１０は、プログラムがインストールされたコンピュータではなく、各部に対応したハードウェアを用いることによっても実現可能である。更に、報知処理装置１０は、一部がプログラムで実現され、残りの部分がハードウェアで実現されていてもよい。
【００４５】
上述した実施の形態の一部又は全部は、以下に記載する（付記１）〜（付記１２）によって表現することができるが、以下の記載に限定されるものではない。
【００４６】
（付記１）
防災同報無線システムの送信機から送信された防災音声情報を受信する、受信部と、
前記防災音声情報の音声を文字に変換する、音声認識部と、
前記変換された文字の少なくとも一部を表示させる、文字表示部と、
前記変換された文字が、予め設定されたキーワードに該当する場合には、前記キーワードに応じた報知情報を報知する、報知部と
を備える報知処理装置。
【００４７】
（付記２）
前記報知部が、
外部の光源装置に、前記キーワードに応じた光を発光させる、
付記１に記載の報知処理装置。
【００４８】
（付記３）
前記報知部が、
外部の画面に、前記キーワードに応じた表示形式の文字を表示させる、
付記１または２に記載の報知処理装置。
【００４９】
（付記４）
前記報知部が、
外部の振動装置に、前記キーワードに応じた振動動作をさせる、
付記１から３までのいずれかに記載の報知処理装置。
【００５０】
（付記５）
（１）防災同報無線システムの送信機から送信された防災音声情報を受信する、ステップと、
（２）前記防災音声情報の音声を文字に変換する、ステップと、
（３）前記変換された文字の少なくとも一部を表示させる、ステップと、
（４）前記変換された文字が、予め設定されたキーワードに該当する場合には、前記キーワードに応じた報知情報を報知する、ステップと
を備える報知処理方法。
【００５１】
（付記６）
前記（４）のステップにおいて、
外部の光源装置に、前記キーワードに応じた光を発光させる、
付記５に記載の報知処理方法。
【００５２】
（付記７）
前記（４）のステップにおいて、
外部の画面に、前記キーワードに応じた表示形式の文字を表示させる、
付記５または６に記載の報知処理方法。
【００５３】
（付記８）
前記（４）のステップにおいて、
外部の振動装置に、前記キーワードに応じた振動動作をさせる、
付記５から７までのいずれかに記載の報知処理方法。
【００５４】
（付記９）
コンピュータに
（１）防災同報無線システムの送信機から送信された防災音声情報を受信する、ステップと、
（２）前記防災音声情報の音声を文字に変換する、ステップと、
（３）前記変換された文字の少なくとも一部を表示させる、ステップと、
（４）前記変換された文字が、予め設定されたキーワードに該当する場合には、前記キーワードに応じた報知情報を報知する、ステップと
を実行させるプログラム。
【００５５】
（付記１０）
前記（４）のステップにおいて、
外部の光源装置に、前記キーワードに応じた光を発光させる、
付記９に記載のプログラム。
【００５６】
（付記１１）
前記（４）のステップにおいて、
外部の画面に、前記キーワードに応じた表示形式の文字を表示させる、
付記９または１０に記載のプログラム。
【００５７】
（付記１２）
前記（４）のステップにおいて、
外部の振動装置に、前記キーワードに応じた振動動作をさせる、
付記９から１１までのいずれかに記載のプログラム。
【産業上の利用可能性】
【００５８】
本発明によれば、防災同報無線システムから発信される防災音声情報に基づいて、具体的な防災情報に関する文字を表示させるとともに、視覚および／または触覚により検知可能な報知情報を報知することが可能となる。
【符号の説明】
【００５９】
１０    報知処理装置
１０ａ  報知処理装置
１１    受信部
１２    音声認識部
１３    文字表示部
１４    報知部
２０    戸別受信機
２１    アンテナ
２２    ディスプレイ
２３    スピーカ
２４    光源装置
２５    振動発生装置
２０ａ  戸別受信機
２１ａ  アンテナ
２２ａ  送信機
３０    携帯端末
３１    受信機
３２    ディスプレイ
３３    スピーカ
３４    光源装置
３５    振動発生装置
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2018160082.tif 000003
【図２】
2018160082.tif 000004
【図３】
2018160082.tif 000005
【図４】
2018160082.tif 000006
【図５】
2018160082.tif 000007